(57)【要約】【課題】限られた占有面積内に段積みして収納することができる巻き取りリールを提供する。【解決手段】巻き取りリールとしてのコードリール１は、フレーム２と、フレーム２に設けられた回転軸部２５と、回転軸部２５に対して回転可能に支持された巻き取りドラム３と、巻き取りドラム３に巻き取られた、電源に接続される電源コード４とを備える。フレーム２は、一対のフレーム枠部２１Ａ，２１Ｂ及び連結部２２を有する。背面側フレーム枠部２１Ｂには、背面側フレーム枠部２１Ｂから軸線方向Ｌの外方に突出する、段積み時の横ずれ防止用の突起部２３が設けられている。突起部２３は、軸線方向Ｌに直交する方向において、背面側フレーム枠部２１Ｂの内側にずれて配置されている。【選択図】図２
0003212524.tif 000002
【実用新案登録請求の範囲】
【請求項１】
フレームと、
前記フレームに設けられた回転軸部と、
前記回転軸部に対して回転可能に支持された巻き取りドラムと、
前記巻き取りドラムに巻き取られた、電源コード又はホースである被巻き取り物と、を備える巻き取りリールにおいて、
前記フレームは、前記巻き取りドラムにおける、前記回転軸部の軸線方向の両側に位置する円盤状ガイド部よりも前記軸線方向の外方に配置された一対のフレーム枠部と、前記一対のフレーム枠部を連結する連結部とを有し、
前記一対のフレーム枠部のうちの少なくとも一方には、前記少なくとも一方のフレーム枠部から前記軸線方向の外方に突出する、段積み時の横ずれ防止用の突起部が設けられており、前記突起部は、前記軸線方向に直交する方向において、前記少なくとも一方のフレーム枠部の内側又は外側にずれて配置されている、巻き取りリール。
【請求項２】
前記一対のフレーム枠部は、４つの角部が曲線状に形成された略四角形状を有しており、
前記突起部は、前記一対のフレーム枠部のうちの一方であって、前記４つの角部における、前記軸線方向に直交する方向の内側に設けられている、請求項１に記載の巻き取りリール。
【請求項３】
前記一対のフレーム枠部のうちの少なくとも一方又は前記連結部には、前記巻き取りドラムに巻き取られた前記被巻き取り物が、前記円盤状ガイド部と前記フレーム枠部との隙間を通過することを阻止する通過阻止部材が設けられている、請求項１又は２に記載の巻き取りリール。
【請求項４】
前記通過阻止部材は、前記円盤状ガイド部の外周部に沿ったリング形状に形成されており、かつ、前記軸線方向、及び前記軸線方向に直交する方向における、前記円盤状ガイド部と前記フレーム枠部との間を含む位置に配置されている、請求項３に記載の巻き取りリール。
【請求項５】
前記円盤状ガイド部は、前記巻き取りドラムに巻き取られた前記被巻き取り物が、前記円盤状ガイド部と前記フレーム枠部との隙間を通過することを阻止する大きさに形成されている、請求項１又は２に記載の巻き取りリール。
【考案の詳細な説明】
【技術分野】
【０００１】
本考案は、巻き取りドラムに電源コード又はホースが巻き取られた巻き取りリールに関する。
【背景技術】
【０００２】
コードリール又はホースリールは、電源コード又はホースが巻き取られた巻き取りドラムを有している。電源コードを使用する際には、巻き取りドラムから電源コードを引き出し、電源コードを収容する際には、巻き取りドラムに電源コードを巻き取っている。また、ホースを使用する際には、巻き取りドラムからホースを引き出し、ホースを収容する際には、巻き取りドラムにホースを巻き取っている。また、巻き取りドラムの端面には、種々の電気器具のコンセントプラグを挿入可能なコンセント口等が設けられている。
【０００３】
また、持ち運び用のコードリールにおいては、巻き取りドラムは、使用者が把持可能な把持部が設けられたフレームに回転可能に支持されている。そして、使用者は、把持部を把持して、電源が必要な場所にコードリールを持ち運んでいる。このようなコードリールとしては、例えば、特許文献１に記載されたものがある。
【先行技術文献】
【特許文献】
【０００４】
【特許文献１】特開平６−３３５１７３号公報
【考案の概要】
【考案が解決しようとする課題】
【０００５】
ところで、従来の巻き取りリールは、必要とする適宜箇所に持ち運んで使用することに重点が置かれている。そのため、複数の巻き取りリールがある場合に、この複数の巻き取りリールを限られた占有面積内に収納する工夫はなされていない。一般的に、巻き取りリールは、横方向に並べて配置することができるものの、高さ方向に段積みして（積み重ねて）配置することは考慮されていない。
【０００６】
本考案は、かかる課題に鑑みてなされたもので、限られた占有面積内に段積みして収納することができる巻き取りリールを提供しようとして得られたものである。
【課題を解決するための手段】
【０００７】
本考案の一態様は、フレームと、
前記フレームに設けられた回転軸部と、
前記回転軸部に対して回転可能に支持された巻き取りドラムと、
前記巻き取りドラムに巻き取られた、電源コード又はホースである被巻き取り物と、を備える巻き取りリールにおいて、
前記フレームは、前記巻き取りドラムにおける、前記回転軸部の軸線方向の両側に位置する円盤状ガイド部よりも前記軸線方向の外方に配置された一対のフレーム枠部と、前記一対のフレーム枠部を連結する連結部とを有し、
前記一対のフレーム枠部のうちの少なくとも一方には、前記少なくとも一方のフレーム枠部から前記軸線方向の外方に突出する、段積み時の横ずれ防止用の突起部が設けられており、前記突起部は、前記軸線方向に直交する方向において、前記少なくとも一方のフレーム枠部の内側又は外側にずれて配置されている、巻き取りリールにある。
【考案の効果】
【０００８】
前記一態様の巻き取りリールは、複数の巻き取りリールがある場合に、この複数の巻き取りリールを、高さ方向に段積みして、限られたスペースとしての占有面積内に収納できるようにしたものである。
巻き取りリールのフレームは、巻き取りドラムの円盤状ガイド部よりも軸線方向の外方に一対のフレーム枠部を有する。そして、少なくとも一方のフレーム枠部には、軸線方向の外方に突出する、段積み時の横ずれ防止用の突起部が設けられている。
【０００９】
限られたスペースに複数の巻き取りリールを収納する際には、一方のフレーム枠部が下側になるようにして巻き取りリールを配置する。そして、この巻き取りリールの上に、別の巻き取りリールを載置する。このとき、いずれか一方の巻き取りリールのフレーム枠部に設けられた突起部が、他方の巻き取りリールのフレーム枠部における、軸線方向に直交する方向の内側又は外側にずれて配置される。これにより、複数の巻き取りリールを段積みしたときに、一方の巻き取りリールにおける突起部が、他方の巻き取りリールにおけるフレーム枠部に係止され、巻き取りリール同士が横ずれすることができなくなる。
【００１０】
こうして、複数の巻き取りリールを段積みしても、巻き取りリールが横ずれせず、段積み状態が崩れることが防止される。それ故、前記一態様の巻き取りリールによれば、複数の巻き取りリールを、限られた占有面積内に段積みして収納することができる。
【００１１】
被巻き取り物は、電源に接続される電源コード又は流体を流すためのホースとすることができる。ホースは、エア、水等を流すための、ゴムホース、樹脂製のホース、金属製のフレキシブルホース等とすることができる。
【図面の簡単な説明】
【００１２】
【図１】実施形態にかかる、コードリールを示す正面図。
【図２】実施形態にかかる、コードリールを示す側面図。
【図３】実施形態にかかる、コードリールを示す背面図。
【図４】実施形態にかかる、コードリールを示す斜視図。
【図５】実施形態にかかる、段積みしたコードリールを示す側面図。
【考案を実施するための形態】
【００１３】
前述した巻き取りリールにかかる好ましい実施形態について、図面を参照して説明する。
本形態の巻き取りリールとしてのコードリール１は、図１〜図３に示すように、フレーム２と、フレーム２に設けられた回転軸部２５と、回転軸部２５に対して回転可能に支持された巻き取りドラム３と、巻き取りドラム３に巻き取られた、被巻き取り物としての、電源に接続される電源コード４とを備える。フレーム２は、巻き取りドラム３における、回転軸部２５の軸線方向Ｌの両側に位置する円盤状ガイド部３１Ａ，３１Ｂよりも軸線方向Ｌの外方に配置された一対のフレーム枠部２１Ａ，２１Ｂと、一対のフレーム枠部２１Ａ，２１Ｂを連結する連結部２２とを有する。
【００１４】
図２〜図４に示すように、一対のフレーム枠部２１Ａ，２１Ｂのうちの背面側フレーム枠部２１Ｂには、背面側フレーム枠部２１Ｂから軸線方向Ｌの外方に突出する、段積み時の横ずれ防止用の突起部２３が設けられている。突起部２３は、軸線方向Ｌに直交する方向において、背面側フレーム枠部２１Ｂの内側にずれて配置されている。
なお、図２及び図４においては、軸線方向Ｌの正面側を符号Ｌ１によって示し、軸線方向Ｌの背面側を符号Ｌ２によって示す。
【００１５】
以下に、本形態のコードリール１について詳説する。
（コードリール１，巻き取りドラム３，電源コード４）
コードリール１は、商用電源、発電機等の電源と、電源による電力を消費する各種電気器具等とを接続するために使用される。電源コード４の先端部には、商用電源、発電機等の電源に設けられたコンセント口に差し込み可能なコンセントプラグが設けられている。図１に示すように、巻き取りドラム３の正面側Ｌ１に位置する正面側円盤状ガイド部３１Ａの外側面３１１には、各種電気器具等の外部電源コードの先端部に設けられたコンセントプラグを差し込み可能なコンセント口３１２が設けられている。本形態のコンセント口３１２には、開閉可能なキャップ３１３が取り付けられている。
【００１６】
図２に示すように、電源コード４の基端部は、正面側円盤状ガイド部３１Ａの外側面３１１におけるコンセント口３１２に繋がっている。電源コード４は、巻き取りドラム３内を通って、巻き取りドラム３における、一対の円盤状ガイド部３１Ａ，３１Ｂの間に位置する外周面３２に巻き取られている。コードリール１を使用する際には、使用者は、回転軸部２５を中心に巻き取りドラム３を回転させながら、巻き取りドラム３に巻き取られた電源コード４を引き出すことができる。
【００１７】
（フレーム２）
図１に示すように、フレーム２は、回転軸部２５を支持する機能と、巻き取りドラム３を囲って保護する機能と、コードリール１を段積み可能にする機能とを有する。一対のフレーム枠部２１Ａ，２１Ｂは、４つの角部２１３が曲線状に形成された略四角形状を有している。フレーム枠部２１Ａ，２１Ｂは、略四角形状に屈曲された金属パイプによって形成されている。フレーム枠部２１Ａ，２１Ｂは、完全な四角環形状には形成されておらず、略四角形状の一辺において、金属パイプの両端部２１２が対向し、この両端部２１２の間に隙間Ｓが形成された形状に形成されている。なお、フレーム枠部２１Ａ，２１Ｂは、完全な四角環形状に形成されていてもよい。また、フレーム枠部２１Ａ，２１Ｂは、巻き取りドラム３の周りを囲む形状であれば、略四角形状に限られず、例えば略円形状等の種々の形状に形成されていてもよい。
【００１８】
図２に示すように、連結部２２は、一対のフレーム枠部２１Ａ，２１Ｂを複数箇所において連結するよう、複数形成されている。本形態の連結部２２は、一対のフレーム枠部２１Ａ，２１Ｂを構成する４辺の金属パイプ部２１１のうちの互いに対向する２辺の金属パイプ部２１１において、一対のフレーム枠部２１Ａ，２１Ｂを連結している。連結部２２は、使用者がコードリール１を持ち運ぶ際に把持する把持部として機能することができる。
【００１９】
図３に示すように、フレーム枠部２１Ａ，２１Ｂの一方である背面側フレーム枠部２１Ｂには、回転軸部２５を支持するための支持部２４が掛け渡されている。回転軸部２５は、略四角形状のフレーム枠部２１Ａ，２１Ｂの中心位置において、支持部２４から垂直に設けられている。巻き取りドラム３は、正面側Ｌ１から、フレーム枠部２１Ａ，２１Ｂの他方である正面側フレーム枠部２１Ａの内側を通して回転軸部２５に装着可能である。巻き取りドラム３の正面側円盤状ガイド部３１Ａは、正面側フレーム枠部２１Ａの側に配置されている。
【００２０】
（突起部２３）
図２に示すように、突起部２３は、背面側フレーム枠部２１Ｂから軸線方向Ｌの外方としての背面側Ｌ２へ突出して設けられている。突起部２３は、背面側フレーム枠部２１Ｂの４つの角部２１３における、軸線方向Ｌに直交する方向の内側に設けられている。本形態の突起部２３は、コードリール１同士を段積みする際に、この突起部２３が設けられた、いずれかのコードリール１の背面側フレーム枠部２１Ｂに対向させる、他のコードリール１の正面側フレーム枠部２１Ａの４つの角部２１３を案内するものである。
【００２１】
いずれかのコードリール１の背面側フレーム枠部２１Ｂにおける４つの突起部２３に、他のコードリール１の正面側フレーム枠部２１Ａにおける４つの角部２１３が案内されたときには、コードリール１同士が、軸線方向Ｌに直交するいずれの方向にも位置ずれすることができなくなる。
【００２２】
本形態の４つの突起部２３は、板形状に形成されている。突起部２３は、板形状に形成する以外にも、例えば、中実又は中空のピン形状等の種々の形状に形成することができる。
【００２３】
なお、突起部２３は、軸線方向Ｌに直交する方向において、背面側フレーム枠部２１Ｂの外側にずれて配置されていてもよい。突起部２３は、背面側フレーム枠部２１Ｂに設ける代わりに、正面側フレーム枠部２１Ａから軸線方向Ｌの外方としての正面側Ｌ１へ突出して設けることもできる。この場合にも、突起部２３は、背面側フレーム枠部２１Ｂに設ける場合と同様の構成にすることができ、背面側フレーム枠部２１Ｂに設ける場合と同様の作用効果を奏することができる。
【００２４】
また、突起部２３は、背面側フレーム枠部２１Ｂ及び正面側フレーム枠部２１Ａの両方に設けられていてもよい。この場合、背面側フレーム枠部２１Ｂにおける突起部２３と、正面側フレーム枠部２１Ａにおける突起部２３とは、複数のコードリール１を段積みする際の突起部２３同士の干渉を避けるために、軸線方向Ｌに直交する方向の互いにずれた位置に配置される。
【００２５】
（通過阻止部材２６）
図２及び図３に示すように、背面側フレーム枠部２１Ｂには、巻き取りドラム３に巻き取られた電源コード４が、背面側円盤状ガイド部３１Ｂと背面側フレーム枠部２１Ｂとの隙間を通過することを阻止する通過阻止部材２６が設けられている。通過阻止部材２６は、背面側円盤状ガイド部３１Ｂの外周部に沿ったリング形状に形成されている。通過阻止部材２６は、背面側フレーム枠部２１Ｂに掛け渡された支持部２４における両端部に取り付けられている。
【００２６】
図５に示すように、コードリール１は、一般的に、巻き取りドラム３の軸線方向Ｌが横方向（水平方向）を向くようにして、載置面Ｇに載置される。本形態のコードリール１は、段積みするために、巻き取りドラム３の軸線方向Ｌが高さ方向になるように、コードリール１を横に倒して収納する。このとき、巻き取りドラム３に巻き取られた電源コード４が重力によって崩れやすくなり、下方へ落下しやすくなる。そのため、この電源コード４の下方への落下を阻止するために通過阻止部材２６を用いる。
【００２７】
通過阻止部材２６は、軸線方向Ｌ、及び軸線方向Ｌに直交する方向における、背面側円盤状ガイド部３１Ｂと背面側フレーム枠部２１Ｂとの間を含む位置に配置されている。本形態のリング形状の通過阻止部材２６の外径は、背面側円盤状ガイド部３１Ｂの外径よりも大きい。
【００２８】
また、リング形状の通過阻止部材２６の外径は、背面側フレーム枠部２１Ｂを構成する、互いに対向する金属パイプ部２１１の内側位置同士の間の長さよりも大きい。これにより、巻き取りドラム３に巻き取られた電源コード４は、リング形状の通過阻止部材２６と背面側フレーム枠部２１Ｂとの間を通過できなくなっている。
【００２９】
また、背面側円盤状ガイド部３１Ｂの外周と、リング形状の通過阻止部材２６の内周との隙間は、電源コード４が通過できない幅に形成されている。これにより、巻き取りドラム３に巻き取られた電源コード４は、背面側円盤状ガイド部３１Ｂとリング形状の通過阻止部材２６との間を通過できなくなっている。
【００３０】
通過阻止部材２６は、巻き取りドラム３に巻き取られた電源コード４が、背面側円盤状ガイド部３１Ｂと背面側フレーム枠部２１Ｂとの隙間を通過することを阻止するものであれば、リング形状以外の種々の形状に形成することもできる。通過阻止部材２６は、例えば、背面側フレーム枠部２１Ｂを構成する金属パイプ部２１１の各辺の中心部に設けることもできる。
【００３１】
通過阻止部材２６は、背面側フレーム枠部２１Ｂに設けることによって、フレーム２の回転軸部２５に巻き取りドラム３を組み付ける際の障害物になることが防止される。通過阻止部材２６は、正面側フレーム枠部２１Ａに設けることも可能である。ただし、この場合には、フレーム２の回転軸部２５に巻き取りドラム３を組み付ける際に、通過阻止部材２６が障害物にならないようにする工夫が必要になる。また、場合によっては、通過阻止部材２６は、背面側フレーム枠部２１Ｂ及び正面側フレーム枠部２１Ａの両方に設けることも可能である。
【００３２】
通過阻止部材２６は、複数のコードリール１を段積みする際に、高さ方向の下側に配置されるフレーム枠部２１Ｂの側に設ける。本形態においては、背面側フレーム枠部２１Ｂに通過阻止部材２６が取り付けられており、コードリール１を段積みする際には、背面側フレーム枠部２１Ｂが高さ方向の下側に配置される。そして、通過阻止部材２６は、巻き取りドラム３に巻き取られた電源コード４が、重力によって、背面側円盤状ガイド部３１Ｂの外周部から下方へ解けて落ちることを阻止する。
【００３３】
また、４つの突起部２３は、複数のコードリール１を段積みする際に、最も下側に載置されるコードリール１においては、載置面Ｇから背面側フレーム枠部２１Ｂを浮かして、背面側フレーム枠部２１Ｂに傷等が入ることを防止するための脚部となる。
【００３４】
（作用効果）
本形態のコードリール１は、複数のコードリール１がある場合に、この複数のコードリール１を、高さ方向に段積みして、限られたスペースとしての占有面積内に収納できるようにしたものである。
図５に示すように、限られたスペースに複数のコードリール１を収納する際には、背面側フレーム枠部２１Ｂが高さ方向の下側になるようにして、コードリール１Ａを載置面Ｇに載置する。そして、このコードリール１Ａの上に、背面側フレーム枠部２１Ｂが高さ方向の下側になるようにして別のコードリール１Ｂを載置する。
【００３５】
このとき、上側に配置されるコードリール１Ｂの背面側フレーム枠部２１Ｂに設けられた突起部２３が、下側に配置されるコードリール１Ａの正面側フレーム枠部２１Ａにおける、軸線方向Ｌに直交する方向の内側にずれて配置される。これにより、複数のコードリール１Ａ，１Ｂを段積みしたときに、上側のコードリール１Ｂにおける突起部２３が、下側のコードリール１Ａにおける正面側フレーム枠部２１Ａに係止され、コードリール１Ａ，１Ｂ同士が横ずれすることができなくなる。つまり、上側のコードリール１Ｂは、下側のコードリール１Ａに対して、軸線方向Ｌに直交するいずれの方向にも位置ずれすることができなくなる。
【００３６】
こうして、複数のコードリール１を段積みしても、コードリール１が横ずれせず、段積み状態が崩れることが防止される。それ故、本形態のコードリール１によれば、複数のコードリール１を、載置面Ｇにおいて１つのコードリール１が占める、限られた占有面積内に段積みして収納することができる。なお、コードリール１は、倉庫、車両等における載置面Ｇに段積みすることができる。
【００３７】
また、本形態のコードリール１においては、通過阻止部材２６を積極的に使用する態様について説明した。コードリール１のこれ以外の態様として、通過阻止部材２６は使用せず、円盤状ガイド部３１Ａ，３１Ｂとフレーム枠部２１Ａ，２１Ｂとの位置及び大きさの関係によって、巻き取りドラム３に巻き取られた電源コード４が、円盤状ガイド部３１Ａ，３１Ｂとフレーム枠部２１Ａ，２１Ｂとの隙間を通過することを阻止することもできる。例えば、円盤状ガイド部３１Ａ，３１Ｂは、電源コード４が、円盤状ガイド部３１Ａ，３１Ｂとフレーム枠部２１Ａ，２１Ｂとの隙間を通過できない大きさに形成することができる。
【００３８】
巻き取りリールは、コードリール１とする以外に、ホースリールとすることができ、被巻き取り物は、電源コード４とする以外に、流体を流すためのホースとすることができる。ホースが巻き取りドラム３に巻き取られたホースリールにおいても、コードリール１の場合と同様の作用効果を奏することができる。
【００３９】
なお、本考案は、実施形態のみに限定されるものではなく、その要旨を逸脱しない範囲においてさらに異なる実施形態を構成することが可能である。また、本考案は、様々な変形例、均等範囲内の変形例等を含む。
【符号の説明】
【００４０】
１  コードリール（巻き取りリール）
２  フレーム
２１Ａ，２１Ｂ  フレーム枠部
２２  連結部
２３  突起部
２５  回転軸部
２６  通過阻止部材
３  巻き取りドラム
３１Ａ，３１Ｂ  円盤状ガイド部
４  電源コード（被巻き取り物）
【図１】
0003212524.tif 000003
【図２】
0003212524.tif 000004
【図３】
0003212524.tif 000005
【図４】
0003212524.tif 000006
【図５】
0003212524.tif 000007